(57)【要約】【課題】  複写機のジョブ発行時において、誤って任意とは別の設定をした場合や、より良い設定候補がある場合に、それに気づくことなくジョブが発行されてしまう。例えば、１部を印刷したい場合に、誤って１００部と設定してしまい、それに気づくことなく印刷が行われてしまう。また、１ｉｎ１で印刷するよりも２ｉｎ１や４ｉｎ１などで印刷したほうが紙の削減になるが、このようにいくつかの設定候補に気づくことなく印刷をしてしまうといった問題がある。【解決手段】  本発明ではジョブの設定に対する制約テーブルを保持し、チェック手段を用いて、指定のジョブ設定が制約テーブル内にある設定に該当するかどうかチェックし、該当するジョブの実行に制限や禁止などの制約を行うことを可能とする。【選択図】  図１３
2007201618.tif 000002
【特許請求の範囲】
【請求項１】
複写機のジョブ発行時、設定されたジョブ設定情報を保持することが可能な画像形成装置において、
ユーザが設定したジョブ設定情報を保持する設定保存手段と、
制約対象となるジョブ設定情報を保持する制約テーブルを有し、
そのテーブル内に、ユーザが設定したジョブ設定と同一のものが存在するかどうかをチェックするチェック手段と、
ユーザが設定したジョブ設定が、制約対象に該当する旨をユーザに通知する通知手段と、
制約対象となったジョブ設定の差し替え設定を保持する設定候補テーブルと、
そのテーブル内から、設定候補を検索する設定候補検索手段と、
その結果をユーザに通知する設定候補通知手段と、を持ち、
設定保持手段を用いて、ユーザが設定したジョブ設定を保持し、
制約テーブルとチェック手段を用いて、制約テーブル内にあるジョブ設定と、
保持された情報が一致するかをチェックし、一致した場合は、
通知手段を用いて、ユーザへ該当した旨を通知し、
指定したジョブ設定の代替設定を設定候補テーブル内から検索し、
その検索結果一覧を、設定候補通知手段を用いてユーザへ通知し、
通知された設定候補一覧から選択されたジョブ設定を、現在のジョブ設定に差し替え、ジョブを実行することが可能なことを特徴とする画像形成装置。
【請求項２】
請求項１の制約テーブルにおいて、制約テーブルとは、
ジョブが発行された際に、制約されるジョブ設定のパターンを保持しているテーブルであることを特徴とする画像形成装置。
【請求項３】
請求項１の制約テーブルにおいて、制約するジョブ設定を操作部から編集（追加．／削除．／変更）することが可能であることを特徴とする画像形成装置。
【請求項４】
請求項１の制約テーブル内には、各ジョブ設定のパターンごとに、ジョブに対する制約を、個別に設定することが可能であることを特徴とする画像形成装置。
【請求項５】
請求項１の設定候補検索出手段において、設定候補とは、設定候補テーブル内に登録されている設定パターンであることを特徴とする画像形成装置。
【請求項６】
請求項１の設定候補検索手段において、チェックに該当しない設定のパターンを検索することを特徴とする画像形成装置。
【請求項７】
請求項１の設定候補検索手段において、設定候補は、操作部から編集（追加／修正／削除）することが可能であることを特徴とする画像形成装置。
【請求項８】
請求項１の設定候補検索手段において、設定候補を追加する際に、対象となる制約を設定することが可能であることを特徴とする画像形成装置。
【請求項９】
請求項１の設定候補検索手段において、設定候補を表示する優先順位を変更することが可能であることを特徴とする画像形成装置。
【請求項１０】
請求項１の設定候補検索手段において、ユーザが選択した設定候補でのジョブ実行イメージを、表示することが可能であることを特徴とする画像形成装置。
【請求項１１】
請求項１の設定候補通知手段において、表示された設定に変更することができるキーを、次回からトップ画面に表示させることが可能であることを特徴とする画像形成装置。
【請求項１２】
請求項１のジョブの制約において、部門・課・個人単位での制約を、行うことが可能であることを特徴する画像形成装置。
【請求項１３】
請求項１のジョブにおいて、ジョブとは、複写機が持つ機能すべてを対象とすることを特徴する画像形成装置。
【発明の詳細な説明】
【技術分野】
【０００１】
本発明は、ジョブ発行時、設定された情報を保持することが可能な画像形成装置において、
予め登録された設定と指定されたジョブが一致した場合に、ジョブの実行を制限し、
予め登録された設定候補から適切な設定パターンを表示、設定することを実行する事例に関するものである。
【背景技術】
【０００２】
従来の技術を用いて、ジョブの実行を制限し、現在のジョブ設定を制限されない設定に変更させる処理を実行するものとしては、記録されている設定条件に該当するジョブを検出できる機能を有する画像形成装置において、記録されている設定条件に該当するジョブが発行された場合はそれを制限し、ユーザが再度、制限されない設定に変更しなければならない。
【０００３】
よって、制限されたジョブ設定を、自動で制限されないジョブ設定に変更することができない。
【０００４】
制限されたジョブは、続行することが可能だが、禁止することはできない。
（例えば、特許文献１参照）
【特許文献１】特開平０９−１８５２９７号公報
【発明の開示】
【発明が解決しようとする課題】
【０００５】
現状の画像形成装置は、制限したいジョブが発行された場合、それを制限することは可能だが、禁止することができない。また、制限、もしくは禁止されたジョブを、自動で制限や禁止事項に該当しない設定に変更することができない。制限や禁止事項に該当しない設定に変更する際は、ユーザが、再度設定し直す必要がある。
【０００６】
再度設定をし直す際に、その制限を回避するための設定候補など、設定補助のための機能がなく、ユーザは自分で制限を回避するための設定をしなければならない。
【０００７】
従来技術では、前記のように不便な点があったため、ジョブの制限、続行のほかに、禁止などのジョブ実行に対する制約機能を追加し、それらの制約に該当するジョブが発行されたされた際は、制約を回避するための設定候補を閲覧、選択、実行することができることが課題となっている。
【０００８】
従来の画像形成装置に比較し、画像形成装置の使用制限及び管理を、例えば、使用者ごと、組織部門ごとに簡便に行うことのできる画像形成装置を提供する。
【課題を解決するための手段】
【０００９】
そのため、本発明ではジョブの設定に対する制約テーブルを保持し、チェック手段を用いて、指定のジョブ設定が制約テーブル内にある設定に該当するかどうかチェックし、該当するジョブの実行に制限や禁止などの制約を行うことを可能とする。さらに、その制約を回避するための設定候補を、設定候補検索手段を用いて、設定候補テーブルから検出し、設定候補通知手段を使用してユーザへ通知する。ユーザが、候補一覧から選択した設定を現在のジョブ設定と差し替え、実行することを可能にすることで、上記課題を解決する。
【００１０】
本発明は、現状のジョブ制限のほかに、ジョブ禁止などのジョブ実行に対する制約機能を備え、ジョブの実行に対して、制約を行うことを可能とする。
【００１１】
また、ジョブが制約事項に該当した際には、そのジョブに対する設定候補を表示し、その設定を選択し、現在のジョブ設定と差し替えることで、ジョブの実行を可能にする。そのため、ユーザ自らが、制約事項を考慮することなく、ジョブの再設定を行うことを可能とする。
【００１２】
また、ジョブが再設定された際は、設定変更後のジョブ実行イメージを表示することを可能とする。
【発明の効果】
【００１３】
本発明ではジョブの設定に対する制約テーブルを保持し、チェック手段を用いて、指定のジョブ設定が制約テーブル内にある設定に該当するかどうかチェックし、該当するジョブの実行に制限や禁止などの制約を行うことを可能とする。さらに、その制約を回避するための設定候補を、設定候補検索手段を用いて、設定候補テーブルから検出し、設定候補通知手段を使用してユーザへ通知する。ユーザが、候補一覧から選択した設定を現在のジョブ設定と差し替え、実行することを可能とする。
【００１４】
また、登録した設定を保持することを可能とし、次回ログイン時に、操作部トップ画面へその設定を行うためのボタン等を表示させることも可能とする。
【００１５】
以上のことにより、ジョブ発行時に、任意ではない設定がされていることに気づくことが可能である。また、別設定候補より、より良い設定を参照し、設定することが可能となる。
【発明を実施するための最良の形態】
【００１６】
図１は、本発明の第１の実施の形態に係る複合機能装置を収容するネットワークの構成を示す図である。本実施の形態における複合機能装置は、データ送受信機能を有する複写機である。
【００１７】
図１に示すように、複写機１００１は、複写機１００１と同等の機能を持つ複写機１００２、ファクシミリ装置１００３、データベース／メールサーバ１００４、クライアントコンピュータ１００５とともに、イーサネット（登録商標）などからなるＬＡＮ１００６に収容されている。また複写機１００１は、ファクシミリ装置１００７とともに公衆回線１００８に収容されている。複写機１００１は、コピー機能、ファクシミリ機能を有するとともに、原稿画像を読み取り、該読み取って得られた画像データをＬＡＮ１００６上の各装置に送信するデータ送信機能を有する。また複写機１００１は、ＰＤＬ（Ｐａｇｅ  Ｄｅｓｃｒｉｐｔｉｏｎ  Ｌａｎｇｕａｇｅ）機能を有するので、ＬＡＮ１００６上に接続されているコンピュータから指示されたＰＤＬ画像を受信して印刷することが可能である。複写機１００１は、複写機１００１で読み取った画像や、ＬＡＮ１００６上に接続されているコンピュータから指示されたＰＤＬ画像を、複写機１００１内のハードディスク２００４（図２）の指定したボックス領域に保存することが可能であり、ボックス領域に保存された画像を印刷することが可能になっている。
【００１８】
複写機１００１は、複写機１００２が読み取ったデータを、ＬＡＮ１００６を介して受信し、受信したデータを複写機１００１内のハードディスク２００４に保存したり、印刷出力したりすることが可能である。また、クライアントコンピュータ１００５及びＬＡＮ１００６を介して、データベース／メールサーバ１００４の画像を受信し、複写機１００１内に保存したり、印刷出力したりすることが可能である。ファクシミリ装置１００３は、複写機１００１が読み取ったデータを、ＬＡＮ１００６を介して受信し、該受信したデータを送信することが可能である。
【００１９】
データベース／メールサーバ１００４は、複写機１００１が読み取ったデータを、ＬＡＮ１００６を介して受信し、受信したデータをデータベースとして格納し、また電子メールとして送信する機能を有するサーバ装置である。
【００２０】
クライアントコンピュータ１００５は、データベース／メールサーバ１００４に接続されることによって、データベース／メールサーバ１００４から所望のデータを取得して表示することが可能であるとともに、複写機１００１が読み取ったデータを、ＬＡＮ１００６を介して受信し、受信したデータを加工、編集することが可能である。
【００２１】
ファクシミリ装置１００７は、複写機１００１が読み取ったデータを、公衆回線１００８を介して受信し、受信したデータを印刷出力することが可能である。
【００２２】
図２は、複写機１００１の主要部の構成を示すブロック図である。
【００２３】
複写機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【００２４】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００２５】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００２６】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００２７】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００２８】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００２９】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００３０】
次に、スキャナ２０７０およびプリンタ２０９５のハードウェア構成について図３を参照して説明する。
【００３１】
図３は、図２に示すスキャナ２０７０およびプリンタ２０９５のハードウェア構成を示す側断面図である。
【００３２】
スキャナ２０７０とプリンタ２０９５とは、図３に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００３３】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００３４】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００３５】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００３６】
図４は、図２に示す操作部２０１２の構成を示す平面図である。
【００３７】
ＬＣＤ表示部２０１３は、ＬＣＤ上にタッチパネルシートが貼られた構造となっており、複写機１００１の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００３８】
図５は、操作部２０１２上に表示される操作画面の一例を示す図である。
【００３９】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００４０】
図５は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００４１】
また、表示領域９０７は、複写機１００１のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機１００１のデバイス情報を表示する画面や、プリントジョブ状況を表示する画面（図示せず）を表示し、この画面ではジョブの中止を行うことが可能になる。
【００４２】
送信／ＦＡＸタブ９０２を押下すると、複写機１００１で読み取った画像をＬＡＮ１００６上の機器にＥ−メール送信またはＦＴＰ送信したり、また公衆回線１００８を使ってファクシミリ送信したりするための設定画面（図６）を表示する。
【００４３】
ボックスタブ９０３を押下すると、複写機１００１上で読み取った画像をＨＤＤ２００４内のボックス領域に保存したり、ボックス領域に保存されている画像データを指定して印刷したり、ＬＡＮ１００６上の機器に送信したりするための設定画面（図示せず）を表示する。
【００４４】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
【００４５】
以下、制約のパターンが「制限」「禁止」の２種類の場合を図３６、図３７、図３８のフロー図を用いて説明する
１．まず、発行されたジョブの設定を、設定保持手段を用いて、保持する。（ステップＳ９２０１）
２．次に、発行されたジョブの設定が、図７の制約テーブル内に格納されている設定と一致するかどうか確認。（ステップＳ９２０２）
３．２の結果、一致しない場合は、ジョブの設定を変更しない。（１３へ）  （ステップＳ９２０３）
４．２の結果、一致する場合は、その設定のフラグが「制限」であるか、「禁止」であるか確認する。（ステップＳ９２０４）
５．３の結果、「制限」である場合は、操作部２０１２を介して、設定されたジョブ設定が、制限事項に該当する旨をユーザへ通知し、そのままの設定でジョブを実行することが可能なため、現在のジョブ設定を変更せずに、ジョブを続行するためのボタンを表示する。（ステップＳ９２１７）
６．４の結果、「禁止」である場合は、操作部２０１２を介して、設定されたジョブ設定が、禁止事項に該当する旨をユーザへ通知し、そのままの設定でジョブを実行することが不可能なため、ジョブを続行するためのボタンを非表示にする。（ステップＳ９２０５）（図１３）
７．ジョブの実行を継続できる場合、現在の設定のままジョブを実行する際は、図１３の「はい」ボタン押下し１３へ。ジョブの設定を変更する場合は８へ。（Ｓ９２１８）
８．ジョブの実行を継続できない場合、ジョブの設定を変更するため、図１３の「いいえ」ボタン押下し、ジョブの再設定画面へ遷移する。（図１４）
９．ジョブの再設定を行う。
【００４６】
９−１  あらかじめ代替設定が登録されているかどうか確認する（Ｓ９２０６）
９−２  代替設定が登録されている場合、その設定を表示する（Ｓ９２１３）
９−３  あらかじめ代替設定が登録されていない場合、設定候補一覧テーブルから代替設定を検索する（Ｓ９２０７）
※図１４のジョブの設定候補一覧ボタン押下し、そのジョブに対する設定候補一覧を設定候補検索手段と図９、図１０テーブルに格納されている情報を用いて検索する
９−４  ９−３で検索した設定候補一覧を表示する（Ｓ９２０８）（図１５）
９−５  ９−４で表示された設定候補一覧から設定を選択する（Ｓ９２０９）
※図１５の実行結果イメージボタン押下時、設定したジョブ設定での実行イメージを表示することが可能（図１６）
９−６  現在のジョブ設定を、９−５で選択されたジョブ設定に変更する（Ｓ９２１０）
９．ジョブ実行確認画面を表示する。（図１７）（Ｓ９２１１）
１０．図１７の設定保存ボタン押下時、設定登録画面を表示する。（図１８）（Ｓ９２１２−Ｓ９２１３）
１１．ログイン時、トップ画面に表示するボタン押下時、次回ユーザがログイン時に、トップ画面に指定の設定を行うためのボタンを押下時、次回ログイン時に設定が保存されたボタンをトップ画面に表示させる（図１９）（Ｓ９２１４−Ｓ９２１５）
１２．  指定された設定でジョブを実行する。（ステップＳ９２１６）
複写機１００１のＨＤＤ２０４にはデータベース・ソフトウェアがインストールされており、このデータベースは制限／禁止事項や、設定候補、該当ジョブ処理情報を記憶している。尚、テーブルを記憶する装置は、複写機１００１に搭載されたＨＤＤ２０４に限られず、例えば、複写機１００１とネットワークを介して接続された記憶装置や情報処理装置としてもよい。
【００４７】
（１）複写機の機能、設定値（図６）
図６は、その複写機の持つ機能と設定値を保持するテーブルを模式的に示した図である。
【００４８】
あらかじめ設定値のパターンが決められている場合は、その全パターンを、入力値を設定できる機能については、その上下限値を保持している。
【００４９】
（２）制約事項の設定組み合わせ（図７）
図７は、制限や禁止などの、制約対象となるジョブの設定組み合わせを保持するテーブルを模式的に示した図である。組み合わせに用いられる機能やその設定値は、図６に示す、複写機の機能と設定値を保持するテーブルから参照される。
【００５０】
制約テーブルには、登録された設定に該当するジョブが発行された際、
制限するか、禁止するかなど、制約の種類を判定するフラグを持つ。また、制約テーブルには、その組み合わせと同様のジョブ設定が発行された際、制約事項に該当した設定を、制約されない設定に差し替えるための設定候補を指定することが可能である。設定組み合わせには、ユーザが任意で名前をつけることが可能である。
【００５１】
本実施形態においては、操作部２０１２を介したユーザの指示入力に基づいて、制約事項を変更、登録、削除することが可能である。（図２０、図２１、図２２、図２３、図２４、図２５）
（３）制約フラグ（図８）
図８は、制限、禁止などの制約フラグを保持するテーブルを模式的に示した図である。
【００５２】
フラグは、制限／禁止など、ジョブの実行に対する処理を登録することが可能である。
【００５３】
本実施形態においては、操作部２０１２を介したユーザの指示入力に基づいて制限／禁止フラグを変更、登録、削除することが可能である。
【００５４】
（３）最適設定パターン（図９）
図９は、各ジョブの最適設定パターンを格納するテーブルを模式的に示した図である。最適設定パターンには優先順位をつけることが可能で、候補１から順に優先度が低くなっていく。また、最適設定パターンには、それぞれ名前をつけて識別することが可能である。
【００５５】
本実施形態においては、操作部２０１２を介したユーザの指示入力に基づいて最適設定パターンを変更、登録、削除、することが可能である。（図２６、図２７、図２８、図２９／図３４、図３５）
（３）最適設定組み合わせ（図１０）
図１０は、複写機のもつ機能を生かし、その機能の組み合わせを登録したものである。この組み合わせには、名前を付けて識別することが可能である。
【００５６】
本実施形態においては、操作部２０１２を介したユーザの指示入力に基づいて組み合わせを変更、登録、削除することが可能である。（図３０、図３１、図３２、図３３）
（４）制約対象ユーザ管理（図１１）
図１１は、登録された制約事項について、その制約が有効となるユーザを保持するテーブルを模式的に示した図である。全体フラグがＯＦＦの際は、登録された個人や課、部門など、個々を制約の対象とし、フラグがＯＮの時は、登録された情報が、個人、課、部門であっても全体を対象とする。
【００５７】
本実施形態においては、操作部２０１２を介したユーザの指示入力に基づいて、全体フラグを変更することが可能である。（図２３）
（５）ユーザ管理（図１２）
図１２のように、個人、課、部門のＩＤとパスワードを保持するテーブルを模式的に示した図である。
【００５８】
本実施形態においては、操作部２０１２を介したユーザの指示入力に基づいて、ユーザ名とパスワードを登録、変更、削除を設定することも可能である。
【図面の簡単な説明】
【００５９】
【図１】本発明の第１の実施の形態に係る複合機能装置を収容するネットワークの構成を示す図である。
【図２】複写機の主要部の構成を示すブロック図である。
【図３】図２に示すスキャナ及びプリンタのハードウェア構成を示す側断面図である。
【図４】図２に示す操作部の構成を示す平面図である。
【図５】操作部上に表示される操作画面の一例を示す図である。
【図６】複写機の持つ機能と設定値、上限値を格納する、テーブルの一例を模式的に示した図である。
【図７】制限／禁止事項に関する情報を格納する、テーブルの一例を模式的に示した図である。
【図８】制限／禁止フラグを格納する、テーブルの一例を模式的に示した図である。
【図９】最適設定パターンに関する情報を格納する、テーブルの一例を模式的に示した図である。
【図１０】最適設定に関する情報を格納する、テーブルの一例を模式的に示した図である。
【図１１】制限／禁止の対象を格納する、テーブルの一例を模式的に示した図である。
【図１２】ユーザのＩＤとパスワードを格納する、テーブルの一例を模式的に示した図である。
【図１３】制限／禁止事項の該当通知画面の一例を模式的に示した図である。
【図１４】ジョブの再設定用画面の一例を模式的に示した図である。
【図１５】設定候補一覧表示用画面の一例を模式的に示した図である。
【図１６】出力結果イメージ用画面の一例を模式的に示した図である。
【図１７】ジョブ実行確認用画面の一例を模式的に示した図である。
【図１８】設定登録用画面の一例を模式的に示した図である。
【図１９】設定ボタン表示時のトップ画面の一例を模式的に示した図である。
【図２０】制限／禁止事項新規登録用画面の一例を模式的に示した図である。
【図２１】制限／禁止事項に対する設定機能一覧用画面の一例を模式的に示した図である。
【図２２】制限／禁止設定登録確認用画面の一例を模式的に示した図である。
【図２３】フラグ設定、制限／禁止対象設定用画面の一例を模式的に示した図である。
【図２４】設定名登録用画面の一例を模式的に示した図である。
【図２５】設定確認用画面の一例を模式的に示した図である。
【図２６】最適設定パターンに対する制限／禁止事項選択用画面の一例を模式的に示した図である。
【図２７】最適設定パターン選択、新規登録用画面の一例を模式的に示した図である。
【図２８】最適設定パターン名登録用画面の一例を模式的に示した図である。
【図２９】最適設定パターン名確認用画面の一例を模式的に示した図である。
【図３０】最適設定登録用画面の一例を模式的に示した図である。
【図３１】最適設定機能一覧表示用画面の一例を模式的に示した図である。
【図３２】最適設定名登録用画面の一例を模式的に示した図である。
【図３３】設定確認用画面の一例を模式的に示した図である。
【図３４】最適設定パターンに対する優先度設定用画面の一例を模式的に示した図である。
【図３５】設定確認用画面の一例を模式的に示した図である。
【図３６】実施例のフロー図である。
【図３７】実施例のフロー図である。
【図３８】実施例のフロー図である。
【図１】
2007201618.tif 000003
【図２】
2007201618.tif 000004
【図３】
2007201618.tif 000005
【図４】
2007201618.tif 000006
【図５】
2007201618.tif 000007
【図６】
2007201618.tif 000008
【図７】
2007201618.tif 000009
【図８】
2007201618.tif 000010
【図９】
2007201618.tif 000011
【図１０】
2007201618.tif 000012
【図１１】
2007201618.tif 000013
【図１２】
2007201618.tif 000014
【図１３】
2007201618.tif 000015
【図１４】
2007201618.tif 000016
【図１５】
2007201618.tif 000017
【図１６】
2007201618.tif 000018
【図１７】
2007201618.tif 000019
【図１８】
2007201618.tif 000020
【図１９】
2007201618.tif 000021
【図２０】
2007201618.tif 000022
【図２１】
2007201618.tif 000023
【図２２】
2007201618.tif 000024
【図２３】
2007201618.tif 000025
【図２４】
2007201618.tif 000026
【図２５】
2007201618.tif 000027
【図２６】
2007201618.tif 000028
【図２７】
2007201618.tif 000029
【図２８】
2007201618.tif 000030
【図２９】
2007201618.tif 000031
【図３０】
2007201618.tif 000032
【図３１】
2007201618.tif 000033
【図３２】
2007201618.tif 000034
【図３３】
2007201618.tif 000035
【図３４】
2007201618.tif 000036
【図３５】
2007201618.tif 000037
【図３６】
2007201618.tif 000038
【図３７】
2007201618.tif 000039
【図３８】
2007201618.tif 000040